(57)【要約】【課題】煮こぼれや水が侵入して、操作つまみと操作軸との接続部を伝って流下したときにも、侵入した煮こぼれや水が操作軸に到達することを抑制、防止する。【解決手段】天板１２には、操作つまみ２５を支持する操作軸２１が挿通され、かつ、空気通路となる貫通孔１２ａが形成され、貫通孔１２ａには、天板１２よりも上方に立ち上がる立ち上がり筒部２３と、天板に水密的に固定される固定部２４とを備えた筒状パッキン２２が内嵌され、操作つまみ２５における操作軸２１との接続部と、筒状パッキン２２の内周面との間には、間隙Ｇが形成されており、接続部には、操作軸２１の径方向に突出した鍔部５０が設けられているとともに、鍔部５０の上面側外周端部５１ａが、鍔部５０の上面側基端部５１ｂより低い位置にあり、かつ、鍔部の下面側外周端部５２ａが、鍔部５０の下面側基端部５２ｂより低い位置にあるように構成する。【選択図】図３
2019138547.tif 000002
【特許請求の範囲】
【請求項１】
コンロ本体の上面を覆う天板上にガスバーナの点消火を行う押し回し式の操作つまみが配設された上面操作式のガスコンロであって、
前記天板には、前記操作つまみを支持する操作軸が挿通される挿通路となり、かつ、前記ガスバーナの燃焼用の空気通路となる貫通孔が形成され、
前記貫通孔には、前記天板よりも上方に立ち上がる立ち上がり筒部と、前記天板に水密的に固定される固定部とを備えた筒状パッキンが内嵌され、
前記操作つまみにおける前記操作軸との接続部と、前記筒状パッキンの内周面との間には、間隙が形成されており、
前記接続部には、前記操作軸の径方向に突出した鍔部が設けられているとともに、
前記鍔部の上面側外周端部が、前記鍔部の上面側基端部より低い位置にあり、かつ、
前記鍔部の下面側外周端部が、前記鍔部の下面側基端部より低い位置にあること
を特徴とするガスコンロ。
【請求項２】
前記鍔部の上面が、前記上面側基端部から前記上面側外周端部に向かって下りとなるような傾斜面に形成され、
前記鍔部の下面が、前記下面側基端部から前記下面側外周端部に向かって下りとなるような傾斜面に形成されていること
を特徴とする請求項１記載のガスコンロ。
【請求項３】
前記筒状パッキンを平面視した場合における前記立ち上がり筒部の内側空隙の形状が円形であり、
前記鍔部を平面視した場合における外周縁部の形状が円形であって、
前記立ち上がり筒部の前記内側空隙の直径が、前記鍔部の前記外周縁部の直径よりも大きいこと
を特徴とする請求項１または２記載のガスコンロ。
【発明の詳細な説明】
【技術分野】
【０００１】
本発明は、ガスコンロに関し、詳しくは、コンロバーナの点消火を行う押し回し式の点消火装置を備えたガスコンロに関する。
【背景技術】
【０００２】
例えば、ガスコンロの中には、押し回し式の点消火装置によってコンロバーナの点消火を行うように構成されたガスコンロがある。
【０００３】
そのようなガスコンロの１つとして、特許文献１には、天板に、ガスバーナの点消火操作のための操作つまみを支持する軸部が挿通する貫通孔（透孔）を貫通させ、軸部と貫通孔の周縁との間に環状の空気通路を形成し、貫通孔には、筒状パッキンを密に内嵌させるとともに、筒状パッキンは、天板よりも上方に延長する延長筒部を有し、かつ、延長筒部の上端近傍に、環状の返し片を外方へ向って張り出させた、操作部防水構造を備えたガスコンロが開示されている。
【０００４】
この特許文献１のように、操作部防水構造を備えた構成とした場合、天板の上面に操作つまみが設けられている上面操作式のガスコンロにおいて、操作つまみの軸部が挿通された貫通孔から燃焼用空気を取り入れることが可能になるとともに、天板上に溢れた煮こぼれが、貫通孔からコンロ本体（本体ケース）内に浸入することを抑制することが可能になる。
【先行技術文献】
【特許文献】
【０００５】
【特許文献１】特開２０１２−７８０７２号公報
【発明の概要】
【発明が解決しようとする課題】
【０００６】
しかしながら、特許文献１に記載のガスコンロの操作部防水構造においては、なんらかの事情で軸部と上記貫通孔（透孔）の周縁との間に形成された環状の空気通路に煮こぼれや水（水滴など）が浸入した場合に、浸入した煮こぼれや水が、操作つまみにおける操作軸との接続部の表面を伝って流下し、そのまま操作軸に達し操作軸の外周面を流下することになる。
【０００７】
そして、浸入した煮こぼれや水が操作軸の外周面を流下すると、煮こぼれや水が軸部とバルブユニットとの接続箇所に付着する。
【０００８】
さらに、浸入した煮こぼれや水（水滴など）が、軸部とバルブユニットとの接続箇所に付着した後、時間が経過すると、軸部とバルブユニットとが固着することが考えられる。
【０００９】
軸部とバルブユニットとが固着すると、軸部の回動に要するトルクが増大し、操作つまみを回転させるのに要するトルクの増大を招き、操作つまみの操作感を損なってしまうおそれがある。
【００１０】
本発明は、上記の課題を解決するものであり、操作つまみにおける操作軸との接続部と筒状パッキンの内周面との間に形成された間隙から、煮こぼれや水（水滴など）が侵入して、操作つまみにおける操作軸との接続部を伝って流下したときにも、侵入した煮こぼれや水が操作軸に到達することを抑制して、操作つまみを押し操作するときの操作感が損なわれることを防止することが可能なガスコンロを提供することを目的とする。
【課題を解決するための手段】
【００１１】
上記の目的を達成するために、本発明のガスコンロは、
コンロ本体の上面を覆う天板上にガスバーナの点消火を行う押し回し式の操作つまみが配設された上面操作式のガスコンロであって、
前記天板には、前記操作つまみを支持する操作軸が挿通される挿通路となり、かつ、前記ガスバーナの燃焼用の空気通路となる貫通孔が形成され、
前記貫通孔には、前記天板よりも上方に立ち上がる立ち上がり筒部と、前記天板に水密的に固定される固定部とを備えた筒状パッキンが内嵌され、
前記操作つまみにおける前記操作軸との接続部と、前記筒状パッキンの内周面との間には、間隙が形成されており、
前記接続部には、前記操作軸の径方向に突出した鍔部が設けられているとともに、
前記鍔部の上面側外周端部が、前記鍔部の上面側基端部より低い位置にあり、かつ、
前記鍔部の下面側外周端部が、前記鍔部の下面側基端部より低い位置にあること
を特徴としている。
【００１２】
本発明のガスコンロにおいては、
前記鍔部の上面が、前記上面側基端部から前記上面側外周端部に向かって下りとなるような傾斜面に形成され、
前記鍔部の下面が、前記下面側基端部から前記下面側外周端部に向かって下りとなるような傾斜面に形成されていること
が好ましい。
【００１３】
また、前記筒状パッキンを平面視した場合における前記立ち上がり筒部の内側空隙の形状が円形であり、
前記鍔部を平面視した場合における外周縁部の形状が円形であって、
前記立ち上がり筒部の前記内側空隙の直径が、前記鍔部の前記外周縁部の直径よりも大きいこと
が好ましい。
【発明の効果】
【００１４】
本発明のガスコンロは、コンロ本体の上面を覆う天板上にガスバーナの点消火を行う押し回し式の操作つまみが配設された上面操作式のガスコンロであって、  天板には、操作つまみを支持する操作軸が挿通される挿通路となり、かつ、ガスバーナの燃焼用の空気通路となる貫通孔が形成され、貫通孔には、天板よりも上方に立ち上がる立ち上がり筒部と、天板に水密的に固定される固定部とを備えた筒状パッキンが内嵌され、操作つまみにおける操作軸との接続部と、筒状パッキンの内周面との間には、間隙が形成されており、接続部には記操作軸の径方向に突出した鍔部が設けられているとともに、前鍔部の上面側外周端部が、鍔部の上面側基端部より低い位置にあり、かつ、鍔部の下面側外周端部が、鍔部の下面側基端部より低い位置にあるように構成されているので、操作つまみにおける操作軸との接続部と、筒状パッキンの内周面との間に形成された間隙から煮こぼれや水（水滴など）が侵入して、操作つまみにおける操作軸との接続部を伝って流下したときにも、（１）接続部の表面を煮こぼれや水が勢いよく流下したときには、煮こぼれや水が鍔部の上面に沿って外周端部側に流れることで、侵入した煮こぼれや水が操作軸に流下することが抑制され、（２）接続部の表面を煮こぼれや水がゆっくり伝って流下したときにも、鍔部の下面側外周端部が、鍔部の下面側基端部より低い位置にあるように構成されていることから、煮こぼれや水の操作軸への移動が阻止され、接続部の下面を煮こぼれや水が伝って侵入した煮こぼれや水が操作軸に到達することが抑制される。その結果、操作つまみを押し操作するときの操作感が損なわれることを防止して、使い勝手のよいガスコンロを提供することが可能になる。
【００１５】
また、鍔部の上面が、上面側基端部から上面側外周端部に向かって下りとなるような傾斜面に形成され、鍔部の下面が、下面側基端部から下面側外周端部に向かって下りとなるような傾斜面に形成されている場合には、より確実に、侵入した煮こぼれや水が操作軸に流下することが抑制され、接続部の表面を煮こぼれや水がゆっくり伝って流下したときにも、鍔部の下面の傾斜面が存在することで煮こぼれや水の操作軸への移動が阻止されるので、接続部の下面を煮こぼれや水が伝って操作軸に到達することが抑制され、操作つまみを押し操作するときの操作感が損なわれることが抑制されたガスコンロとすることができる。
【００１６】
また、筒状パッキンを平面視した場合における立ち上がり筒部の内側空隙の形状が円形であり、鍔部を平面視した場合における外周縁部の形状が円形であって、立ち上がり筒部の内側空隙の直径が、鍔部の外周縁部の直径よりも大きくなるようにした場合、製造工程において、筒状パッキンに、操作つまみにおける操作軸との接続部を容易に挿通することが可能になり、製造工程を合理化することができる。
【００１７】
ここで、筒状パッキンが、同心の複数の立ち上がり筒部を備えている場合においては、「立ち上がり筒部の内側空隙の直径が、鍔部の外周縁部の直径よりも大きい」とは、複数の立ち上がり筒部のうちの一番内側の立ち上がり筒部の内側空隙の直径が、鍔部の外周縁部の直径よりも大きいことをいう。
【図面の簡単な説明】
【００１８】
【図１】本発明の一実施形態にかかるガスコンロの外観構成を示す斜視図である。
【図２】本発明の一実施形態にかかるガスコンロの操作つまみ周辺の要部断面図である。
【図３】本発明の一実施形態にかかるガスコンロの操作つまみを押し操作したときの操作つまみ周辺の要部断面図である。
【図４】本発明の一実施形態にかかるガスコンロの操作つまみ要部を拡大して示す断面図である。
【図５】本発明の他の実施形態にかかるガスコンロの操作つまみ周辺の要部断面図である。
【発明を実施するための形態】
【００１９】
以下、本発明の実施形態を示して、その特徴とするところをさらに詳しく説明する。
【００２０】
［実施形態］
図１は、本発明の実施形態にかかるガスコンロＡの外観構成を示す斜視図である。
【００２１】
このガスコンロＡは、図１に示すように、３つのコンロバーナ１０（１０ａ、１０ｂ、１０ｃ）を備えた、キッチンカウンターに埋め込まれて設置されるドロップインタイプ（埋め込み型）のガスコンロである。
【００２２】
そして、このガスコンロＡは、コンロ本体２０と、コンロ本体２０の上面の開口を覆う天板１２とを備えている。
【００２３】
本実施形態にかかるガスコンロＡが備える３つのコンロバーナ１０はいずれもブンゼン式のガスバーナであり、２つのコンロバーナ１０ａ、１０ｂは、天板１２の前方側の左右に、天板１２から上方にバーナヘッドが露出するような態様で配設され、残りの１つのコンロバーナ１０ｃは、天板１２の後方に配設されている。なお、各コンロバーナ１０（１０ａ、１０ｂ、１０ｃ）は、それぞれ天板１２から上方にバーナヘッドが露出するような態様で配設されている。
【００２４】
また、３つのコンロバーナ１０（１０ａ、１０ｂ、１０ｃ）の周囲には、各コンロバーナ１０（１０ａ、１０ｂ、１０ｃ）により加熱される調理容器（図示せず）が載置される五徳１３がそれぞれ配設されている。
【００２５】
また、各コンロバーナ１０（１０ａ、１０ｂ、１０ｃ）の中央には、五徳１３上に載置された調理容器の底部の温度を検出するための温度センサ１４が配設されている。この温度センサ１４は、五徳１３上に載置された調理容器の底面に接することで調理容器の温度を検出する。
【００２６】
また、天板１２の手前側には、３つのコンロバーナ１０（１０ａ、１０ｂ、１０ｃ）に対する操作、すなわち、点火、消火、炎調節などの操作を行う点消火操作部１５（１５ａ、１５ｂ、１５ｃ）が左右方向に並んで配置されている。
そして、点消火操作部１５（１５ａ、１５ｂ、１５ｃ）は、操作つまみ２５（２５ａ、２５ｂ、２５ｃ）と、各操作つまみ２５（２５ａ、２５ｂ、２５ｃ）を支持する操作軸２１とを備えている。
【００２７】
点消火操作部１５（１５ａ、１５ｂ、１５ｃ）はいずれも、操作つまみ２５（２５ａ、２５ｂ、２５ｃ）を下方に押し込みながら所定方向に回す、押し回し操作をすることにより、コンロバーナ１０の点消火や炎調節などを行う押し回し式の点消火操作部である。
【００２８】
なお、点消火操作部１５ａはコンロバーナ１０ａ用の操作部、点消火操作部１５ｂはコンロバーナ１０ｂ用の操作部、点消火操作部１５ｃはコンロバーナ１０ｃ用の操作部である。
【００２９】
このガスコンロＡにおいては、天板１２の奥側に、上述の３つのコンロバーナ１０（１０ａ、１０ｂ、１０ｃ）に一次空気を供給するための吸気口１７が形成されており、この吸気口１７の上方は、吸気口カバー体１６によって覆われている。
【００３０】
なお、このガスコンロＡは、魚などを調理するためのグリルを備えていないが、本発明は、グリルを備えているガスコンロにも適用することが可能である。
【００３１】
上述のように、本実施形態にかかるガスコンロＡは、コンロ本体２０の上面を覆う天板１２上に、コンロバーナ１０の点消火を行う押し回し式の点消火操作部１５の操作つまみ２５が配設された上面操作式のガスコンロである。
【００３２】
そして、天板１２には、点消火操作部１５の操作つまみ２５を支持する操作軸２１が挿通される挿通路になるとともに、空気を通過させる空気通路となる貫通孔１２ａが形成されている（図２、図３参照）。なお、実際には後述するように、貫通孔１２ａに内嵌された筒状パッキン２２の固定部２４の内周面側の空間が、操作軸２１の挿通路、および、空気を通過させる空気通路となる。
【００３３】
なお、操作軸２１は、バルブユニット（ガスバルブ本体）３０（図２、図３）と連結されており、操作つまみ２５を押し回し操作することで、ガスバルブが開弁して、各操作つまみ２５に対応するコンロバーナ１０に燃料ガスが供給されるように構成されている。
【００３４】
このような、押し回し操作式のガスバルブの構成は、周知であるので、本明細書における詳細な説明は省略する。
【００３５】
また、本実施形態にかかるガスコンロＡにおいては、天板１２の貫通孔１２ａに、合成ゴム製の筒状パッキン２２が内嵌され、筒状パッキン２２には、天板１２よりも上方に立ち上がる立ち上がり筒部２３と、この立ち上がり筒部２３と同心の固定部側立ち上がり筒部３３が設けられている（図２、図３参照）。
なお、立ち上がり筒部２３と固定部側立ち上がり筒部３３は同心で、立ち上がり筒部２３が固定部側立ち上がり筒部３３の内側に位置している。
【００３６】
また、本実施形態にかかるガスコンロＡにおいて、上述の操作つまみ２５は、平面視で筒状パッキン２２の立ち上がり筒部２３を覆うカバー部４１を備えているとともに、操作軸２１に支持された操作つまみ２５が下方に押し込まれたとき、カバー部４１の下面が立ち上がり筒部２３の上端部と当接するように構成されている。   
【００３７】
また、カバー部４１の外周部４１ａは、筒状パッキン２２の立ち上がり筒部２３の開口部が存在する上端部よりも下方に位置し、筒状パッキン２２の立ち上がり筒部２３がより確実に覆われるように構成されている。
【００３８】
なお、筒状パッキン２２は、天板１２に水密的に固定される固定部２４を備え、また、固定部２４に対して、固定部２４側を揺動支点（変形（弾性変形）の支点）Ｐとして上下に揺動可能に構成される横引き部２６を備えている（図２、図３参照）。
【００３９】
そして、このガスコンロＡでは、立ち上がり筒部２３は、横引き部２６における揺動支点（変形（弾性変形）の支点）Ｐと対向する側に設けられている（図２、図３参照）。
【００４０】
因みに、図２は、操作つまみ２５が押し操作されておらず、横引き部２６が揺動していない状態を示し、図３は、操作つまみ２５が押し操作されて、操作つまみ２５のカバー部４１の下面と、立ち上がり筒部２３の上端とが当接して、横引き部２６が揺動している状態を示している。
【００４１】
本実施形態のガスコンロＡは、このように構成されており、固定部２４側を揺動支点Ｐとして上下に揺動可能に構成される横引き部２６を備え、立ち上がり筒部２３が、横引き部２６における揺動支点Ｐと対向する側に設けられているので、操作つまみ２５が押し操作された後、操作つまみ２５のカバー部４１の下面と、立ち上がり筒部２３とが当接した後にも、操作つまみ２５の押し操作力が増加することが抑制されて、操作つまみ２５を押し操作するときの操作感が損なわれることが抑制される。
【００４２】
したがって、筒状パッキン２２と操作つまみ２５のカバー部４１の下面との間の開口部における間隙の上下方向寸法を小さくしても、操作つまみ２５を押し操作するときの操作感が損なわれることが抑制することができる。
【００４３】
なお、本実施形態では、上述のように、固定部２４から上方に立ち上がる固定部側立ち上がり筒部３３を備えており、揺動支点Ｐが、固定部側立ち上がり筒部３３と横引き部２６との接続箇所近傍（すなわち、横引き部２６と固定部側立ち上がり筒部３３との境界部）に配設されている。
【００４４】
本実施形態にかかるガスコンロＡはこのように揺動支点Ｐが、固定部側立ち上がり筒部３３と横引き部２６との箇所近傍に配設されているので、揺動支点Ｐが固定部２４に直接配設される場合と比較して、揺動支点Ｐの拘束が緩やかになり、筒状パッキン２２の立ち上がり筒部２３の上端と操作つまみ２５のカバー部４１の下面とが当接した後にも、操作つまみ２５を押し操作するときの押し操作力の増加が抑制され、操作つまみ２５を押し操作するときの操作感が損なわれることが一層抑制される。
【００４５】
ただし、本発明においては、揺動支点Ｐが固定部２４に直接配設されるように構成することも可能である。
【００４６】
＜ガスコンロの特徴的構成＞
次に本実施形態にかかるガスコンロＡの特徴的構成について説明する。
本実施形態にかかるガスコンロＡでは、図２、図３に示すように、操作つまみ２５における操作軸２１との接続部３５と、筒状パッキン２２の固定部２４の内周面との間に間隙Ｇが形成されている。なお、この間隙Ｇが上述の空気通路となり、かつ操作軸２１が挿通される挿通路となる。
【００４７】
そして、図２、図３に示すように、操作つまみ２５における操作軸２１との接続部３５の下端部には、操作軸２１の径方向に突出した鍔部５０を備えている。
【００４８】
また、本実施形態にかかるガスコンロＡにおいては、図４に示すように、鍔部５０の上面５１の外周端部（上面側外周端部）５１ａが、鍔部５０の上面５１の基端部（上面側基端部）５１ｂより低い位置にあり、かつ、鍔部５０の下面５２の外周端部（下面側外周端部）５２ａが、鍔部５０の下面５２の基端部（下面側基端部）５２ｂより低い位置になるように構成されている。
【００４９】
そして、本実施形態では、鍔部５０の上面５１が、操作軸２１から離れるほど下に向かう傾斜面となり、鍔部５０の下面５２が、操作軸２１から離れるほど下に向かう傾斜面となるように構成されている。
【００５０】
本実施形態にかかるガスコンロＡは、このように構成されているので、操作つまみ２５における操作軸２１との接続部３５と、筒状パッキン２２の内周面との間に形成された間隙Ｇから煮こぼれや水（水滴など）が侵入して、操作つまみ２５における操作軸２１との接続部３５を伝って流下した場合において、（１）接続部３５の表面を煮こぼれや水が勢いよく流下したときには、煮こぼれや水が鍔部５０の上面（傾斜面）５１に沿って流れることで、侵入した煮こぼれや水が操作軸２１に流下することが抑制され、（２）接続部３５の表面を煮こぼれや水がゆっくり伝って流下したときにも、鍔部５０の下面５２が上述のような傾斜面とされていることから、煮こぼれや水の操作軸２１への移動が阻止される。
したがって、接続部３５の下面３５ａを煮こぼれや水が伝って侵入した煮こぼれや水が操作軸２１に到達し、操作軸２１とバルブユニット３０との接続箇所３０ａに煮こぼれや水が付着することが抑制される。
その結果、煮こぼれや水によって操作軸２１とバルブユニット３０との接続箇所３０ａが固着することがなく、操作つまみ２５を押し操作するときの操作感が損なわレルことのないガスコンロＡを実現することが可能になる。
【００５１】
また、本実施形態にかかるガスコンロＡにおいては、筒状パッキン２２を平面視した場合における立ち上がり筒部２３の内側空隙の形状が円形とされており、また、鍔部５０を平面視した場合における外周縁部の形状が円形とされている。
【００５２】
そして、固定部側立ち上がり筒部３３よりも内側に位置して、直径の小さい立ち上がり筒部２３の内側空隙の直径が、鍔部５０の外周縁部の直径よりも大きくなるように構成されている。
【００５３】
したがって、ガスコンロＡの製造工程において、筒状パッキン２２に、操作つまみ２５における操作軸２１との接続部３５、すなわち、下端に鍔部５０を備えた接続部３５を容易に挿通することが可能になり、ガスコンロＡの製造工程を簡略化して、製造コストを低減することができる。
【００５４】
なお、立ち上がり筒部２３の内側空隙の平面形状を円形とし、鍔部５０の外周縁部の平面形状を円形とし、立ち上がり筒部２３の内側空隙の直径を、鍔部５０の外周縁部の直径よりも大きくした構成は、任意の構成であり、立ち上がり筒部２３の内側空隙の平面形状および鍔部５０の外周縁部の平面形状を円形以外の形状とすることも可能である。
【００５５】
また、立ち上がり筒部２３の内側空隙の直径が、鍔部５０の外周縁部の直径よりも小さくなるように構成することも可能であり、その場合には、例えば、操作つまみ２５、筒状パッキン２２などの構成部材の、挿入、配設の順序を適宜調整することなどにより対応することができる。
【００５６】
また、上記実施形態では、鍔部５０の上面５１が、操作軸２１から離れるほど下に向かう傾斜面となり、鍔部５０の下面５２が、操作軸２１から離れるほど下に向かう傾斜面となるように構成されている場合について説明したが、本発明においては、煮こぼれや水が、鍔部の上面側外周端部５１ａから上面側基端部５１ｂに流れ込んだり、鍔部５０の下面側外周端部５２ａか、下面側基端部５２ｂに流れ込んだりすることを防止できればよいので、鍔部５０の上面側外周端部５１ａが上面側基端部５１ｂより低い位置にあり、かつ、鍔部５０の鍔部５０の下面側外周端部５２ａが下面側基端部５２ｂより低い位置にあればよく、場合によっては、鍔部５０の上面５１および下面５２を、例えば段差部を備えた形状、あるいは、一部が水平な平面とされている形状などとすることも可能である。
【００５７】
［他の実施形態］
なお、上記実施形態では、筒状パッキン２２が固定部側立ち上がり筒部３３を備えている場合について説明したが、図５に示すように、筒状パッキン２２が固定部側立ち上がり筒部３３を備えていない構成とすることも可能である。その場合、図５に示すように、横引き部２６は、固定部２４から引き出されることになる。なお、図５において、図２、図３と同一符号を付した部分は同一部材を示す。
【００５８】
本発明は、上記実施形態に限定されるものではなく、本発明の範囲内において種々の変形を加えることが可能である。
【符号の説明】
【００５９】
１０（１０ａ、１０ｂ、１０ｃ）    コンロバーナ
１２    天板
１２ａ  天板に形成された貫通孔
１３    五徳
１４    温度センサ
１５（１５ａ、１５ｂ、１５ｃ）    点消火操作部
１７    吸気口
１６    吸気口カバー体
２０    コンロ本体
２１    操作軸
２２    筒状パッキン
２３    立ち上がり筒部
２４    固定部
２５（２５ａ、２５ｂ、２５ｃ）    操作つまみ
２６    横引き部
２７    空気通路
２８    ガイド部
２８ａ  ガイド部の内周面
３０    バルブユニット
３０ａ  操作軸とバルブユニットとの接続箇所
３３    固定部側立ち上がり筒部
３５    操作つまみにおける操作軸との接続部
３５ａ  接続部の下面
４１    カバー部
４１ａ  カバー部の外周部
５０    鍔部
５１    鍔部の上面
５１ａ  鍔部の上面の外周端部（上面側外周端部）
５１ｂ  鍔部の上面の基端部（上面側基端部）
５２    鍔部の下面
５２ａ  鍔部の下面の外周端部（下面側外周端部）
５２ｂ  鍔部の下面の基端部（下面側基端部）
Ａ      ガスコンロ
Ｐ      変形の支点
Ｇ      間隙
【図１】
2019138547.tif 000003
【図２】
2019138547.tif 000004
【図３】
2019138547.tif 000005
【図４】
2019138547.tif 000006
【図５】
2019138547.tif 000007